(57)【特許請求の範囲】
【請求項１】
先端が歯ブラシまたはスポンジブラシからなるブラシ部と、
前記ブラシ部の後端に取り付けられ、使用者の押圧により内部のケア剤が前記ブラシ部に押し出されるボールと、
前記ブラシ部に連結される第１の柄と、
前記第１の柄を収納孔にスライド可能に収納する第２の柄と、
前記第１の柄の長手方向の後端側２箇所に設けられ、短手方向両側に突出し、前記収納孔の内面に接触して摩擦を有する複数の係合突起と、
前記第２の柄の前端側に設けられ、前記収納孔の内周に設けられる環状の溝かならなる係合凹部と、
前記第２の柄の後端に取り外し可能に設けられる歯間ブラシ、楊枝または舌苔落しと、が備えられることを特徴とする携帯用口内ケア具。
【発明の詳細な説明】
【技術分野】
【０００１】
本発明は、携帯用口内ケア具に係り、より詳しくは、柄を伸長できる携帯用口内ケア具に関する。
【背景技術】
【０００２】
通常の歯ブラシは長さが約１５ｃｍで、携帯に便利な８ｃｍ程度の小さいものもあるが、柄の部分があまりに短くて持ちにくい。特許文献１の「折りたたみ式舌苔ブラシ付き歯ブラシ」は、舌苔ブラシが柄にヒンジで取り付けられる。このようなヒンジで柄を延ばすことが考えられるが、使用時に柄がヒンジの部分で折れ曲がってしまうので使いにくい。
【０００３】
特許文献２には、口内に付着した汚れをスポンジで拭き取る「柄付き口内清掃スポンジブラシ」が示されている。これを携帯に便利なように柄を短くすることが望まれる。しかしながら、柄を短くすると携帯には適したものとなるが、使用する時は柄が短いので持ちにくい。
【先行技術文献】
【特許文献】
【０００４】
【特許文献１】特開２０００−５１８４１号公報
【特許文献２】特開２００５−２４５９９１号公報
【発明の概要】
【発明が解決しようとする課題】
【０００５】
本発明の目的は、歯ブラシやスポンジブラシの柄を伸長できる携帯用口内ケア具を提供することにある。
【課題を解決するための手段】
【０００６】
本発明による携帯用口内ケア具は、先端が歯ブラシまたはスポンジブラシからなるブラシ部と、前記ブラシ部の後端に取り付けられ、使用者の押圧により内部のケア剤が前記ブラシ部に押し出されるボールと、前記ブラシ部に連結される第１の柄と、前記第１の柄を収納孔にスライド可能に収納する第２の柄と、前記第１の柄の後端側２箇所に設けられ、柄の短手方向両側に突出し、前記収納孔の内面に接触して摩擦を有する複数の係合突起と、前記第２の柄の前端側に設けられ、前記収納孔の内周に設けられる環状の溝かならなる係合凹部と、前記第２の柄の後端に取り外し可能に設けられる歯間ブラシ、楊枝または舌苔落しと、が備えられることを特徴とする。
【発明の効果】
【０００９】
本発明による携帯用口内ケア具は、（１）柄を第１の柄と第２の柄から構成し、第２の柄に、第１の柄をスライド可能に収納したので、第１の柄を第２の柄の係合孔から引き出して伸長することができる。そのため手に持ちやすい。（２）第１の柄には、複数の係合突起を設け、第２の柄には、係合孔の内周に係合凹部を設けたので、係合突起と係合凹部を係合させて、第１の柄が抜け出ないように、留め置くことができる。（３）第１の柄が第２の柄にスライド可能に収納されるので、柄を短くでき、カバンなどに入れて持ち運ぶのに便利にできる。
【００１０】
係合凹部を環状の溝としたので、第１の柄を前後方向に動かす場合、第１の柄が回転ぶれしても係合突起が環状の溝に係合できる。
【００１１】
口内ケアに必要な歯間ブラシ、楊枝または舌苔落しが、第２の柄の後端に交換可能に取り付けられるので、さらに使いやすいものとできる。
【図面の簡単な説明】
【００１２】
【図１】本発明による携帯用口内ケア具で、携帯用歯ブラシの正面図である。柄は縮退された状態にある。
【図２】本発明による携帯用口内ケア具で、携帯用歯ブラシの正面図である。柄は伸長された状態にある。
【図３】本発明による携帯用口内ケア具、携帯用歯ブラシの平面図である。
【図４】図３のＡ−Ａ断面図である。
【図５】図２に示すブラシ部と第１の柄の正面図である。
【図６】本発明による携帯用口内ケア具で、携帯用スポンジブラシの正面図である。柄は縮退された状態にある。
【図７】本発明による携帯用口内ケア具で、携帯用スポンジブラシの正面図である。柄は伸長された状態にある。
【図８】第２の柄の後端に歯間ブラシを取り付けた図である。
【図９】第２の柄の後端に楊枝を取り付けた図である。
【図１０】第２の柄の後端に舌苔落しを取り付けた図である。
【発明を実施するための形態】
【００１３】
以下、図面を参照して、本発明による携帯用口内ケア具について説明する。
【実施例】
【００１４】
図１は、本発明の携帯用口内ケア具で、携帯用歯ブラシの正面図である。柄２は縮退された状態にある。携帯用口内ケア具５０として携帯用歯ブラシ５０ａを取りあげる。携帯用歯ブラシ５０ａは長さが約８ｃｍで、通常の１５ｃｍのものより短く携帯用歯ブラシとして適している。ブラシ部１は歯ブラシ１ａからなる。柄２は第１の柄２ａと第２の柄２ｂからなり、第１の柄２ａが第２の柄２ｂの収納孔３に収納されるので、携帯用歯ブラシ５０ａの柄２を、全体に短くできる。なお、携帯用歯ブラシ５０ａは使い捨て商品とすることができる。
【００１５】
図１に示すように、第１の柄２ａが第２の柄２ｂの収納孔３に収納される。その場合、第１の柄２ａの２つの係合突起４が、第２の柄２ｂの収納孔３の内面に接触している。摩擦があるが、容易に第１の柄２ａを引き出すことができる。
【００１６】
図２は、本発明による携帯用口内ケア具で、携帯用歯ブラシの正面図である。柄２は伸長された状態にある。図３は、本発明による携帯用口内ケア具で、携帯用歯ブラシの平面図である。柄２は伸長された状態にある。図２、図３に示すように、第１の柄２ａが第２の柄２ｂの収納孔３から引き出して、柄を長くすることができる。そのため、柄２を約１３ｃｍにできる。柄２が長いので、柄２を手で握りやすい。
【００１７】
図２に示すように、第１の柄２ａが第２の柄２ｂの収納孔３から引き出され、最大に伸長された場合、図１左側の環状の溝５ａに、第１の柄２ａの係合突起４が係合する。環状の溝５ａは、ブラシ部１を引き出す際、第１の柄２ａが回転してぶれても係合突起４を環状の溝５ａに係合できる。係合状態では環状の溝５ａの壁が係合突起４に当接するので、第１の柄２ａが留め置かれ、その状態を維持できる。係合突起４を環状の溝５ａに係合させ留め置くことができるが、力を加えて引き出すと、第１の柄２ａが収納孔３から外れる。
【００１８】
図４は、図３のＡ−Ａ断面図である。図４に示すように、第２の柄２ｂの収納孔３には、内周に係合凹部５が設けられる。係合凹部５は、円周方向に延びる環状の溝５ａとした。図４では、環状の溝５ａの内径は、収納孔３の内径より少し大きくしてあるが、係合突起４を環状の溝５ａにきつく係合させるのであれば、環状の溝５ａに縁取りをして、環状の溝５ａの内径を収納孔３の内径より小さく形成することで対応できる。
【００１９】
図５は、図２に示すブラシ部１と第１の柄２ａの正面図である。図５に示すように第１の柄２ａには、複数の係合突起４を設けた。ブラシ部１の後端にはケア剤が収納されたボール６を設けた。ケア剤は、歯磨き剤が収納される。歯磨きの前に指でボール６を押圧して歯磨き剤を歯ブラシ１ａの中に押し出す。ボール６は、出口がシールされており圧力で破れるようになっている。なお、ボール６は、歯磨き剤を押し出し後、引っ張って取り外すことができる。また、ボール６は歯ブラシ１ａの中に配置してもよい。その場合は、歯でボール６を噛んで歯磨き剤を押し出す。
【００２０】
図６は、本発明による携帯用口内ケア具で、携帯用スポンジブラシの正面図である。柄２は縮退された状態にある。携帯用口内ケア具５０として携帯用スポンジブラシ５０ｂを取りあげる。携帯用スポンジブラシ５０ｂは長さが約８ｃｍで、通常の１５ｃｍのものより長さが短いので、携帯用スポンジブラシとして適している。ブラシ部１には円筒形のスポンジブラシ１ｂが設けられる。スポンジブラシ１ｂは、ボール６から洗浄液をスポンジ内に押し出して湿らせておき、口内の汚れを取ることができる。ボール６は、口の中では、洗浄時の障害になるので引っ張って取り外すことができる。柄２は、第１の柄２ａと第２の柄２ｂからなり、第１の柄２ａが第２の柄２ｂの収納孔３に収納される。そのため、携帯用歯ブラシ５０ａの柄２を、短くできる。
【００２１】
図７は、本発明による携帯用口内ケア具で、携帯用スポンジブラシの正面図である。柄２は伸長された状態にある。柄２の内部構造は、図４、図５に示す携帯用歯ブラシ５０ａの場合と同じである。携帯用スポンジブラシ５０ｂは、スポンジブラシ１ｂを回転させながら口内の汚れを取るが、環状の溝５ａと係合突起４の係合をきつくせず回転を容易としてもよい。これによれば、第１の柄２ａを親指と人差し指で挟んで回転させ、第２の柄２ｂは薬指と手のひらで動かないように保持することができる。スポンジブラシ１ｂと第１の柄２ａは、図１の第２の柄２ｂに交換可能に装着できるので、携帯用歯ブラシ５０ａに、スポンジブラシ１ｂと第１の柄２ａをセットとして添付してもよい。
【００２２】
図８は、第２の柄２ｂの後端に歯間ブラシ７を取り付けた図である。図９は、第２の柄２ｂの後端に楊枝８を取り付けた図である。図１０は、第２の柄２ｂの後端に舌苔落し板９を取り付けた図である。歯間ブラシ７、楊枝８、及び舌苔落し板９は、交換可能に第２の柄２ｂに取り付けできる。歯間ブラシ７、楊枝８、舌苔落し板９に第１の柄２ａを取り付け、第２の柄２ｂの前端に交換可能に取り付けてもよい。
【産業上の利用可能性】
【００２３】
本発明による携帯用口内ケア具は、柄を伸長できるので手に握りやすく、また柄を縮退させて短くできるので携帯に適する。
【符号の説明】
【００２４】
１    ブラシ部
１ａ    歯ブラシ
１ｂ    スポンジブラシ
２    柄
２ａ    第１の柄
２ｂ    第２の柄
３    収納孔
４    係合突起
５    係合凹部
５ａ    環状の溝
６    ボール
７    歯間ブラシ
８    楊枝
９    舌苔落し板
５０    携帯用口内ケア具
５０ａ    携帯用歯ブラシ
５０ｂ    携帯用スポンジブラシ
【図１】
0006367029.tif 000002
【図２】
0006367029.tif 000003
【図３】
0006367029.tif 000004
【図４】
0006367029.tif 000005
【図５】
0006367029.tif 000006
【図６】
0006367029.tif 000007
【図７】
0006367029.tif 000008
【図８】
0006367029.tif 000009
【図９】
0006367029.tif 000010
【図１０】
0006367029.tif 000011